(57)【要約】【課題】使用済遊技機の回収と代金の支払との円滑化を図る。【解決手段】遊技機製造会社１が買取申込書２を遊技店３に発行し、この買取申込書２に遊技店３が使用済遊技機７に関する売渡情報４を記入して遊技機製造会社１に渡し、遊技機製造会社１が受け取った買取申込書２に関する回収確認書５を特定の運送業者６に渡し、この運送業者６が回収確認書５に基づき遊技店３に出向いて使用済遊技機７の正否を検収して適正な使用済遊技機７および回収確認書５を遊技店３から遊技機製造会社１に運搬し、遊技機製造会社１が回収確認書５に基づく買取通知書８および代金９を遊技店３に渡すとともに回収確認書５に基づく運賃１０を上記運送業者６に支払う。【選択図】図１
2008212260.tif 000002
【特許請求の範囲】
【請求項１】
遊技機製造会社が買取申込書を遊技店に発行し、この買取申込書に遊技店が使用済遊技機に関する売渡情報を記入して遊技機製造会社に渡し、遊技機製造会社が受け取った買取申込書に関する回収確認書を運送業者に渡し、運送業者が回収確認書に基づき遊技店に出向いて使用済遊技機の正否を検収して適正な使用済遊技機および回収確認書を遊技店から遊技機製造会社に運搬し、遊技機製造会社が回収確認書に基づく代金を遊技店および運送業者に支払うことを特徴とする使用済遊技機の回収方法。
【発明の詳細な説明】
【技術分野】
【０００１】
本発明は、使用済遊技機の回収と代金の支払とが円滑になる使用済遊技機の回収方法に関する。
【背景技術】
【０００２】
使用済遊技機の回収方法には、遊技店が使用済遊技機に関する情報をコンピュータからインターネットで管理センターのコンピュータに送信し、管理センターのコンピュータが使用済遊技機に関する情報をホームページとしてインターネットで公開し、遊技機製造会社のコンピュータがインターネットで公開された使用済遊技機に関する情報を取得し、遊技機製造会社が買取意思の有る場合にコンピュータで買取意思を上記インターネットで公開されている管理センターのホームページに表示し、使用済遊技機に対する遊技店と遊技機製造会社との売買契約が成立すると、遊技店から遊技機製造会社に使用済遊技機を運搬するようにしたものがある。しかしながら、管理センターが遊技機製造会社と遊技店との間を仲立ちするので、遊技店から遊技機製造会社への使用済遊技機の回収と、遊技機製造会社から遊技店への代金の支払とが、長時間になるという欠点がある。
【特許文献１】特開２００４−２１３１９２号公報
【特許文献２】特開２００５−１８５６３９号公報
【発明の開示】
【発明が解決しようとする課題】
【０００３】
発明が解決しようとする問題点は、使用済遊技機の回収と代金の支払とが円滑に行えないという点である。
【課題を解決するための手段】
【０００４】
本発明に係る使用済遊技機の回収方法は、遊技機製造会社が買取申込書を遊技店に発行し、この買取申込書に遊技店が使用済遊技機に関する売渡情報を記入して遊技機製造会社に渡し、遊技機製造会社が受け取った買取申込書に関する回収確認書を特定の運送業者に渡し、この運送業者が回収確認書に基づき遊技店に出向いて使用済遊技機の正否を検収して適正な使用済遊技機および回収確認書を遊技店から遊技機製造会社に運搬し、遊技機製造会社が回収確認書に基づく代金を上記遊技店に支払うとともに回収確認書に基づく運賃を上記運送業者に支払うことを最も主要な特徴とする。
【発明の効果】
【０００５】
本発明に係る使用済遊技機の回収方法は、遊技店が買取申込書に使用済遊技機に関する売渡情報を記入して遊技機製造会社に渡し、遊技機製造会社が受け取った買取申込書に関する回収確認書を特定の運送業者に渡し、この運送業者が回収確認書に基づき遊技店に出向いて使用済遊技機の正否を検収して適正な使用済遊技機および回収確認書を遊技店から遊技機製造会社に運搬し、遊技機製造会社が回収確認書に基づく代金を上記遊技店に支払うとともに回収確認書に基づく運賃を上記運送業者に支払うので、使用済遊技機の回収と代金の支払とが円滑に行えるという利点がある。
【発明を実施するための最良の形態】
【０００６】
図１は、発明を実施するための最良の形態に係る使用済遊技機の回収方法を示す。図１において、遊技機製造会社１が買取申込書２を特定するためのコードが印刷された買取申込書２を遊技店３に発行する。遊技店３が買取申込書２に使用済遊技機に関する売渡情報４を記入して遊技機製造会社１に郵送またはＦＡＸなどで渡す。売渡情報４としては、遊技店名、遊技店の法人名、売渡台数、引渡場所、引渡希望日などである。
【０００７】
次に、遊技機製造会社１が受け取った買取申込書２に関する回収確認書５を作成して特定の運送業者６に渡す。特定の運送業者６とは、遊技機製造会社１が使用済遊技機７の回収を行うために指定した業者である。作成された回収確認書５に記載される情報としては、運送業者名、引取遊技店連絡先、引取遊技店名、引取機種名、引取台数、引取場所、引取日時などである。回収確認書５の運送業者名は、回収確認書５が遊技機製造会社１から渡される運送業者６の名前である。回収確認書５の引取遊技店は、売渡情報４の遊技店名に相当する。回収確認書５の引取機種名は、売渡情報４の使用済遊技機７の機種名に相当する。回収確認書５の引取台数は、売渡情報４の売渡台数に相当する。回収確認書５の引取場所は、売渡情報４の引渡場所に相当する。回収確認書５の引取日時は、売渡情報４の引渡希望日に相当する。運送業者６は、遊技機製造会社１が契約を行った指定の業者である。
【０００８】
その後、運送業者６が、トラックで引渡場所に行き、当該引取場所で引取台数の使用済遊技機７を受け取ってトラックに載せ、遊技機製造会社１の回収場所に運搬する。運送業者６が使用済遊技機７を受け取る場合、使用済遊技機７が受け取るべきものであるかを検収し、検収の結果を遊技店３に伝え、遊技店３の了解のもと、受け取るべきものである使用済遊技機７だけを遊技機製造会社１の指定場所に運搬する。その場合、運送業者６は、使用済遊技機７の機種名や台数が回収確認書５に記載された引取機種名や引取台数と同じであれば、回収確認書５をそのまま遊技機製造会社１の指定場所に渡す。使用済遊技機７の機種名が回収確認書５に記載された引取機種名と異なる場合、運送業者６は、当該使用済遊技機７を引取らない。使用済遊技機７の台数が回収確認書５に記載された引取台数と異なる場合、運送業者６は、当該使用済遊技機７を引取るとともに、当該回収確認書５の引取台数欄に上記引取った使用済遊技機７の引取台数を記入し、当該記入された引取台数に対する遊技店３の確認を受けた後、当該回収確認書５を遊技機製造会社１の指定場所に渡す。
【０００９】
遊技機製造会社１は、運送業者６から受け取った回収確認書５に基づき買取通知書８を作成して遊技店３に郵送またはＦＡＸなどで渡すとともに回収確認書５に基づく代金９を遊技店３の口座に振り込みで支払う。また、遊技機製造会社１は、回収確認書５に基づき運賃１０を運送業者６の口座に振り込みで支払う。
【００１０】
最良の形態によれば、遊技店３が買取申込書２に売渡情報４を記入して遊技機製造会社１に渡し、遊技機製造会社１が受け取った売渡情報４に関する回収確認書５を特定の運送業者６に渡し、この運送業者６が回収確認書５に基づき遊技店３に出向いて使用済遊技機７の正否を検収して適正な使用済遊技機７および回収確認書５を遊技店３から遊技機製造会社１に運搬し、遊技機製造会社１が回収確認書５に基づく代金９を遊技店３に支払い、遊技機製造会社１が回収確認書５に基づく運賃１０を運送業者に支払うので、使用済遊技機７の回収と代金９や運賃１０の支払とが円滑に行えるという利点がある。
【産業上の利用可能性】
【００１１】
使用済遊技機７としては、遊技盤だけ、遊技機枠だけ、遊技盤の装着された遊技機枠、スロットマシンと呼ばれる回胴式遊技機などの形態である。
【図面の簡単な説明】
【００１２】
【図１】使用済遊技機回収方法の模式図（最良の形態）。
【符号の説明】
【００１３】
１は遊技機製造会社、２は買取申込書、３は遊技店、４は売渡情報、５は回収確認書、６は運送業者、７は使用済遊技機、８は買取通知書、９は代金、１０は運賃。
【図１】
2008212260.tif 000003